(57)【要約】      （修正有）【課題】互いに上りリンクの信号を用いて効率的に通信する端末装置および基地局装置を提供する。【解決手段】端末装置は、端末装置に対してＲＲＣ層のパラメータｓｙｍＰＵＳＣＨ＿ＵｐＰＴＳが設定されているかどうかに少なくとも基づいてパラメータｆｃ（ｉ）を決定し、パラメータｆｃ（ｉ）に少なくとも基づいてサブフレームｉにおけるＰＵＳＣＨ送信のための送信電力を計算し、ＲＲＣ層のパラメータｓｙｍＰＵＳＣＨ＿ＵｐＰＴＳに基づいてＰＵＳＣＨをスペシャルサブフレームのＳＣ−ＦＤＭＡシンボルにマップし、ＰＵＳＣＨを送信する。【選択図】図１３
2019047411.tif 000002
【特許請求の範囲】
【請求項１】
ＲＲＣ層のパラメータｓｙｍＰＵＳＣＨ＿ＵｐＰＴＳに基づいて、ＰＵＳＣＨをスペシャルサブフレームのＳＣ−ＦＤＭＡシンボルにマップし、前記ＰＵＳＣＨを送信する送信部と、
前記端末装置に対して前記ＲＲＣ層のパラメータｓｙｍＰＵＳＣＨ＿ＵｐＰＴＳが設定されているかどうかに少なくとも基づいて前記パラメータｆｃ（ｉ）を決定し、前記パラメータｆｃ（ｉ）に少なくとも基づいてサブフレームｉにおけるＰＵＳＣＨ送信のための送信電力を計算する送信電力制御部と、を備える端末装置。
【請求項２】
端末装置の通信方法であって、
ＲＲＣ層のパラメータｓｙｍＰＵＳＣＨ＿ＵｐＰＴＳに基づいて、ＰＵＳＣＨをスペシャルサブフレームのＳＣ−ＦＤＭＡシンボルにマップし、
前記ＰＵＳＣＨを送信し、
前記端末装置に対して前記ＲＲＣ層のパラメータｓｙｍＰＵＳＣＨ＿ＵｐＰＴＳが設定されているかどうかに少なくとも基づいて前記パラメータｆｃ（ｉ）を決定し、
前記パラメータｆｃ（ｉ）に少なくとも基づいてサブフレームｉにおけるＰＵＳＣＨ送信のための送信電力を計算する通信方法。
【発明の詳細な説明】
【技術分野】
【０００１】
本発明は、端末装置、および、通信方法に関する。
【背景技術】
【０００２】
セルラー移動通信の無線アクセス方式および無線ネットワーク（以下、「Long Term Evolution （LTE, 登録商標）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮ
ｏｄｅＢ（evolved NodeB）、端末装置をＵＥ（User Equipment）とも称する。ＬＴＥは
、基地局装置がカバーするエリアをセル状に複数配置するセルラー通信システムである。単一の基地局装置は複数のセルを管理してもよい。
【０００３】
ＬＴＥは、時分割複信（Time Division Duplex: TDD）に対応している。ＴＤＤ方式を
採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。
【０００４】
３ＧＰＰにおいて、上りリンクのキャパシティの強化のために、スペシャルサブフレームのＵｐＰＴＳにおいてＰＵＳＣＨを送信することが検討されていた（非特許文献１）。非特許文献２と非特許文献３には、スペシャルサブフレームのＵｐＰＴＳにおいてＰＵＳＣＨを送信する方法について記載されている。
【先行技術文献】
【非特許文献】
【０００５】
【非特許文献１】"Motivation for New Work Item Proposal: UL transmission Enhancement for LTE", R1-160226, CMCC, 3GPP TSG RAN Meeting #71, Gothenburg, Sweden, 7th - 10th March 2016.
【非特許文献２】"3GPP TS 36.211 V14.3.0 (2017-06)", 23rd June, 2017.
【非特許文献３】"3GPP TS 36.213 V14.3.0 (2017-06)", 23rd June, 2017.
【発明の概要】
【発明が解決しようとする課題】
【０００６】
本発明は、上りリンク信号を用いて効率的に基地局装置と通信することができる端末装置、該端末装置と通信する基地局装置、該端末装置に用いられる通信方法、該基地局装置に用いられる通信方法、該端末装置に実装される集積回路、該基地局装置に実装される集積回路を提供する。
【課題を解決するための手段】
【０００７】
（１）本発明の態様は、以下のような手段を講じた。すなわち、本発明の第１の態様は、端末装置であって、ＲＲＣ層のパラメータｓｙｍＰＵＳＣＨ＿ＵｐＰＴＳに基づいて、ＰＵＳＣＨをスペシャルサブフレームのＳＣ−ＦＤＭＡシンボルにマップし、前記ＰＵＳＣＨを送信する送信部と、前記端末装置に対して前記ＲＲＣ層のパラメータｓｙｍＰＵＳＣＨ＿ＵｐＰＴＳが設定されているかどうかに少なくとも基づいて前記パラメータｆｃ（ｉ）を決定し、前記パラメータｆｃ（ｉ）に少なくとも基づいてサブフレームｉにおけるＰＵＳＣＨ送信のための送信電力を計算する送信電力制御部と、を備える。
【０００８】
（２）本発明の第２の態様は、端末装置の通信方法であって、ＲＲＣ層のパラメータｓ
ｙｍＰＵＳＣＨ＿ＵｐＰＴＳに基づいて、ＰＵＳＣＨをスペシャルサブフレームのＳＣ−ＦＤＭＡシンボルにマップし、前記ＰＵＳＣＨを送信し、前記端末装置に対して前記ＲＲＣ層のパラメータｓｙｍＰＵＳＣＨ＿ＵｐＰＴＳが設定されているかどうかに少なくとも基づいて前記パラメータｆｃ（ｉ）を決定し、前記パラメータｆｃ（ｉ）に少なくとも基づいてサブフレームｉにおけるＰＵＳＣＨ送信のための送信電力を計算する。
【発明の効果】
【０００９】
この発明によれば、端末装置および基地局装置は互いに、上りリンク信号を用いて効率的に通信することができる。
【図面の簡単な説明】
【００１０】
【図１】本実施形態における無線通信システムの概念図である。
【図２】本実施形態におけるフレーム構造タイプ２の無線フレームの概略構成を示す図である。
【図３】本実施形態における上りリンクスロットの概略構成を示す図である。
【図４】本実施形態における上りリンクサイクリックプリフィックス設定の一例を示す図である。
【図５】本実施形態におけるＵＬ／ＤＬ設定２を示す図である。
【図６】本実施形態における下りリンクにおけるノーマルＣＰに対するスペシャルサブフレーム設定１０（special subframe configuration 10）の一例を示す図である。
【図７】本実施形態における上りリンクサブフレームの一例を示す図である。
【図８】本実施形態におけるスペシャルサブフレームの一例を示す図である。
【図９】本実施形態におけるｋの値の一例を示す図である。
【図１０】本実施形態におけるｋの値の一例を示す図である。
【図１１】本実施形態におけるＫＰＵＳＣＨの値の一例を示す図である。
【図１２】本実施形態におけるＫＰＵＳＣＨの値の一例を示す図である。
【図１３】本実施形態における端末装置１の構成を示す概略ブロック図である。
【図１４】本実施形態における基地局装置３の構成を示す概略ブロック図である。
【発明を実施するための形態】
【００１１】
以下、本発明の実施形態について説明する。
【００１２】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１という。
【００１３】
以下、キャリアアグリゲーションについて説明する。
【００１４】
端末装置１は、複数のサービングセルが設定されてもよい。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。キャリアアグリゲーションにおいて、設定された複数のサービングセルを集約されたサービングセルとも称する。
【００１５】
本実施形態の無線通信システムは、ＴＤＤ（Time Division Duplex）および／またはＦＤＤ（Frequency Division Duplex）が適用される。セルアグリゲーションの場合には、
複数のサービングセルの全てに対してＴＤＤが適用されてもよい。また、セルアグリゲーションの場合には、ＴＤＤが適用されるサービングセルとＦＤＤが適用されるサービングセルが集約されてもよい。本実施形態において、ＴＤＤが適用されるサービングセルをＴＤＤサービングセル、または、フレーム構造タイプ２を用いるサービングセルとも称する
。
【００１６】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンド
オーバプロシージャにおいてプライマリーセルと指示されたセルである。ＲＲＣ（Radio Resource Control）コネクションが確立された時点、または、後に、セカンダリーセルが設定されてもよい。
【００１７】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。ＴＤＤにおいて、上りリンクにおいてサービングセルに対応するキャリアと、下りリンクにおいてサービングセルに対応するキャリアは同じである。
【００１８】
端末装置１は、同じバンドにおいて集約される複数のＴＤＤサービングセル（コンポーネントキャリア）において、複数の物理チャネル／複数の物理シグナルの同時送信を行うことができる。端末装置１は、同じバンドにおいて集約される複数のＴＤＤサービングセル（コンポーネントキャリア）において、複数の物理チャネル／複数の物理シグナルの同時受信を行うことができる。
【００１９】
以下、本実施形態では端末装置１に対して１つのサービングセルが設定せれている場合について説明をする。
【００２０】
本実施形態の物理チャネルおよび物理シグナルについて説明する。
【００２１】
図３において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２２】
ＰＵＣＣＨは、上りリンク制御情報（Uplink Control Information: UCI）を送信する
ために用いられる。上りリンク制御情報は、下りリンクのチャネル状態情報（Channel State Information: CSI）、初期送信のためのＰＵＳＣＨ（Uplink-Shared Channel: UL-SCH）リソースを要求するために用いられるスケジューリングリクエスト（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。
【００２３】
ＰＵＳＣＨは、上りリンクデータ（Uplink-Shared Channel: UL-SCH）を送信するため
に用いられる。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００２４】
ＰＲＡＣＨは、ランダムアクセスプリアンブルを送信するために用いられる。
【００２５】
図３において、上りリンクの無線通信では、以下の上りリンク物理シグナルが用いられる。上りリンク物理シグナルは、上位層から出力された情報を送信するために使用されないが、物理層によって使用される。
・上りリンク参照信号（Uplink Reference Signal: UL RS）
【００２６】
本実施形態において、以下の２つのタイプの上りリンク参照信号が用いられる。
・ＤＭＲＳ（Demodulation Reference Signal）
・ＳＲＳ（Sounding Reference Signal / Sounding Reference Symbol）
【００２７】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００２８】
ＳＲＳは、ＰＵＳＣＨまたはＰＵＣＣＨの送信に関連しない。基地局装置３は、チャネル状態の測定のためにＳＲＳを用いてもよい。ＳＲＳは、上りリンクサブフレームにおける最後のＳＣ−ＦＤＭＡ（Single Carrier-Frequency Division Multiple Access）シン
ボル、または、ＵｐＰＴＳにおけるＳＣ−ＦＤＭＡシンボルにおいて送信される。
【００２９】
ＳＲＳ送信は、上位層シグナル、および／または、ＤＣＩフォーマットによってトリガーされる。上位層シグナルによるトリガーをトリガータイプ０とも称する。ＤＣＩフォーマットによるトリガーをトリガータイプ１とも称する。
【００３０】
図３において、基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３１】
ＰＢＣＨは、端末装置１で共通に用いられるマスターインフォメーションブロック（Master Information Block: MIB, Broadcast Channel: BCH）を報知するために用いられる
。
【００３２】
ＰＣＦＩＣＨは、ＰＤＣＣＨの送信に用いられる領域（ＯＦＤＭシンボル）を指示する情報を送信するために用いられる。
【００３３】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３４】
ＰＤＣＣＨおよびＥＰＤＣＣＨは、下りリンク制御情報（Downlink Control Informati
on: DCI）を送信するために用いられる。下りリンク制御情報を、ＤＣＩフォーマットと
も称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００３５】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。
【００３６】
上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。ＰＤＣＣＨで送信される上りリンクグラントを、ＤＣＩフォーマット０とも称する。
【００３７】
下りリンクグラント、または、上りリンクグラントに付加されるＣＲＣパリティビットは、Ｃ−ＲＮＴＩ（Cell-Radio Network Temporary Identifier）、Ｔｅｍｐｏｒａｒｙ
Ｃ−ＲＮＴＩ、または、ＳＰＳ  Ｃ−ＲＮＴＩ（Semi Persistent Scheduling Cell-Radio Network Temporary Identifier）でスクランブルされる。Ｃ−ＲＮＴＩおよびＳＰＳ
Ｃ−ＲＮＴＩは、セル内において端末装置を識別するための識別子である。Ｔｅｍｐｏｒａｒｙ  Ｃ−ＲＮＴＩは、コンテンションベースランダムアクセス手順（contention based random access procedure）中に、ランダムアクセスプリアンブルを送信した端末装置１を識別するために用いられる識別子である。
【００３８】
Ｃ−ＲＮＴＩ、および、Ｔｅｍｐｏｒａｒｙ  Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【００３９】
ＰＤＳＣＨは、下りリンクデータ（Downlink Shared Channel: DL-SCH）を送信するた
めに用いられる。
【００４０】
ＰＭＣＨは、マルチキャストデータ（Multicast Channel: MCH）を送信するために用いられる。
【００４１】
図３において、下りリンクの無線通信では、以下の下りリンク物理シグナルが用いられる。下りリンク物理シグナルは、上位層から出力された情報を送信するために使用されないが、物理層によって使用される。
・同期信号（Synchronization signal: SS）
・下りリンク参照信号（Downlink Reference Signal: DL RS）
【００４２】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００４３】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００４４】
下りリンク物理チャネルおよび下りリンク物理シグナルを総称して、下りリンク信号と
称する。上りリンク物理チャネルおよび上りリンク物理シグナルを総称して、上りリンク信号と称する。下りリンク物理チャネルおよび上りリンク物理チャネルを総称して、物理チャネルと称する。下りリンク物理シグナルおよび上りリンク物理シグナルを総称して、物理シグナルと称する。
【００４５】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックは
コードワードにマップされ、コードワード毎に符号化処理が行なわれる。
【００４６】
基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control
message、RRC information: Radio Resource Control informationとも称される）を送
受信してもよい。また、基地局装置３と端末装置１は、媒体アクセス制御（MAC: Medium Access Control）層において、ＭＡＣ  ＣＥ（Control Element）を送受信してもよい。
ここで、ＲＲＣシグナリング、および／または、ＭＡＣ  ＣＥを、上位層の信号（higher
layer signaling）とも称する。ＰＵＳＣＨおよびＰＤＳＣＨは、ＲＲＣシグナリング、および、ＭＡＣ  ＣＥを送信するために用いられる。
【００４７】
図２は、本実施形態におけるフレーム構造タイプ２の無線フレームの概略構成を示す図である。フレーム構造タイプ２は、ＴＤＤに適用できる。図２において、横軸は時間軸である。
【００４８】
時間領域における種々のフィールドのサイズは、時間ユニットTs=1/(15000・2048)秒の数によって表現される。フレーム構造タイプ２の無線フレームの長さは、Tf=307200・Ts=10msである。フレーム構造タイプ２の無線フレームは、時間領域において連続する２つのハーフフレームを含む。それぞれのハーフフレームの長さは、Thalf-frame=153600・Ts=5msである。それぞれのハーフフレームは、時間領域において連続する５つのサブフレームを含む。それぞれのサブフレームの長さは、Tsubframe=30720・Ts=1msである。それぞれ
のサブフレームｉは、時間領域において連続する２つのスロットを含む。該時間領域において連続する２つのスロットは、無線フレーム内のスロット番号nsが２ｉのスロット、および、無線フレーム内のスロット番号nsが２ｉ＋１のスロットである。それぞれのスロットの長さは、Tslot=153600・ns=0.5msである。それぞれの無線フレームは、時間領域において連続する１０のサブフレームを含む。それぞれの無線フレームは、時間領域において連続する２０のスロット（ns=0,1,…,19）を含む。
【００４９】
以下、本実施形態のスロットの構成について説明する。図３は、本実施形態における上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡシンボル番号／インデックスであり、ｋはサブキャリア番号／インデックスである。
【００５０】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメ
ントのそれぞれをリソースエレメントと称する。リソースエレメントは、サブキャリア番号／インデックスｋ、および、ＳＣ−ＦＤＭＡシンボル番号／インデックスｌによって表される。
【００５１】
リソースグリッドは、アンテナポート毎に定義される。本実施形態では、１つのアンテナポートに対する説明を行う。複数のアンテナポートのそれぞれに対して、本実施形態が適用されてもよい。
【００５２】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡ
シンボルの数を示す。上りリンクにおけるノーマルＣＰ（normal Cyclic Prefix）に対して、NULsymbは７である。上りリンクにおける拡張ＣＰ（extended ＣＰ）に対して、NULsymbは６である。
【００５３】
端末装置１は、上りリンクにおけるＣＰ長を示すパラメータUL-CyclicPrefixLengthを
基地局装置３から受信する。基地局装置３は、セルに対応する該パラメータUL-CyclicPrefixLengthを含むシステムインフォメーションを、該セルにおいて報知してもよい。
【００５４】
図４は、本実施形態における上りリンクサイクリックプリフィックス設定の一例を示す図である。NCP,lはスロットにおけるＳＣ−ＦＤＭＡシンボルｌに対する上りリンクＣＰ
長を示す。上りリンクサイクリックプリフィックス設定（UL-CyclicPrefixLength）がノ
ーマルＣＰである場合、l=0に対してNCP,0=160である。ＣＰ長を除くＳＣ−ＦＤＭＡシンボルｌの長さは、2048・Tsであり、ＣＰ長を含むＳＣ−ＦＤＭＡシンボルｌの長さは、(NCP,l+2048)・Tsである。
【００５５】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領
域における（物理）リソースブロックサイズである。本実施形態において、サブキャリア間隔Δfは１５ｋＨｚであり、NRBscは１２である。すなわち、本実施形態においてNRBsc
は、１８０ｋＨｚである。
【００５６】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号（0,1,…, NULRB -1）が付けられる。
【００５７】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される
点を除いて基本的に同じであるため、下りリンクのスロットの構成の説明は省略する。
【００５８】
ＴＤＤサービングセルにおいて、該ＴＤＤサービングセルに対する上りリンク帯域幅設定の値と、該ＴＤＤサービングセルに対する下りリンク帯域幅設定の値は同じである。
【００５９】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００６０】
上りリンクスロットにおけるＳＣ−ＦＤＭＡシンボルｌにおける時間-連続（time-continuous）シグナルsl (t)は、数式（１）によって与えられる。数式（１）は、上りリンク物理シグナル、および、ＰＲＡＣＨを除く上りリンク物理チャネルに適用される。
【００６１】
【数１】
2019047411.tif 000003
【００６２】
ここで、ak,lは、リソースエレメント（ｋ，ｌ）のコンテンツである。スロットにおけるＳＣ−ＦＤＭＡシンボルは、ｌ＝０からスタートし、ｌの昇順で送信される。ＳＣ−ＦＤＭＡシンボルｌ＞０は、スロット内における数式（２）によって定義される時間にスタートする。
【００６３】
【数２】
2019047411.tif 000004
【００６４】
以下、本実施形態のＵＬ／ＤＬ設定（uplink/downlink configuration）について説明
する。
【００６５】
フレーム構造タイプ２に対して、以下の３つのタイプのサブフレームが定義される。
・下りリンクサブフレーム
・上りリンクサブフレーム
・スペシャルサブフレーム
【００６６】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００６７】
フレーム構造タイプ２の無線フレームは、少なくとも下りリンクサブフレーム、上りリンクサブフレーム、およびスペシャルサブフレームから構成される。フレーム構造タイプ２の無線フレームの構成は、ＵＬ／ＤＬ設定によって示される。端末装置１は、基地局装置３からＵＬ／ＤＬ設定を示す情報を受信する。基地局装置３は、セルに対応するＵＬ／ＤＬ設定を示す情報を含むシステムインフォメーションを、該セルにおいて報知してもよい。
【００６８】
図５は、本実施形態におけるＵＬ／ＤＬ設定２を示す図である。図５は１つの無線フレームにおけるＵＬ／ＤＬ設定２を示す。図５において、Ｄは下りリンクサブフレームを示し、Ｕは上りリンクサブフレームを示し、Ｓはスペシャルサブフレームを示す。
【００６９】
図６は、本実施形態における下りリンクにおけるノーマルＣＰに対するスペシャルサブフレーム設定１０（special subframe configuration 10）の一例を示す図である。下り
リンクにおけるノーマルＣＰに対するスペシャルサブフレーム設定が１０である場合、ＤｗＰＴＳの長さは13168・Tsであり、ＤｗＰＴＳはノーマルＣＰを含む６つのＯＦＤＭシ
ンボルを含む。下りリンクにおけるノーマルＣＰに対するスペシャルサブフレーム設定が１０であり、上りリンクＣＰ設定（uplink cyclic prefix configuration）がノーマルＣＰである場合、ＵｐＰＴＳの長さは13152・Tsであり、ＵｐＰＴＳはノーマルＣＰを含む
６つのＳＣ−ＦＤＭＡシンボルを含む。
【００７０】
図７は、本実施形態における上りリンクサブフレームの一例を示す図である。図８は、本実施形態におけるスペシャルサブフレームの一例を示す図である。図７、および、図８において、横軸は時間軸であり、縦軸は周波数軸である。図７、および、図８において、下りリンクサイクリックプリフィックス設定、および、上りリンクサイクリックプリフィックス設定は、ノーマルサイクリックプリフィックスである。
【００７１】
ＤｗＰＴＳは、スペシャルサブフレームの最初のシンボルを含む。ＵｐＰＴＳは、スペシャルサブフレームの最後のシンボルを含む。ＧＰは、ＤｗＰＴＳとＵｐＰＴＳの間に存在する。端末装置１は、ＧＰの間に、下りリンクの受信処理から上りリンクの送信処理への切り替えを行ってもよい。ＵｐＰＴＳにおいて、ＰＵＳＣＨ、ＳＲＳ、および、ＰＲＡＣＨが送信される。
【００７２】
上りリンクサブフレームにおいて、ＰＵＳＣＨに関連するＤＭＲＳは、ＰＵＳＣＨがマップされる物理リソースブロックにおけるｌ＝３のＳＣ−ＦＤＭＡシンボルにマップされる。
【００７３】
ＲＲＣ層のパラメータdmrsLess-UpPtsがＴＲＵＥにセットされていない場合、スペシャルサブフレームの第２のスロットにおいて、ＰＵＳＣＨに関連するＤＭＲＳは、ＰＵＳＣＨがマップされる物理リソースブロックにおけるｌ＝３のＳＣ−ＦＤＭＡシンボルにマップされてもよい。ＲＲＣ層のパラメータdmrsLess-UpPtsがＴＲＵＥにセットされている場合、スペシャルサブフレームの第２のスロットにおいて、ＰＵＳＣＨに関連するＤＭＲＳは送信されない。ＲＲＣ層のパラメータを上位層のパラメータとも称する。
【００７４】
基地局装置３は、ＴＲＵＥを示すＲＲＣ層のパラメータdmrsLess-UpPtsを含むＲＲＣシグナリングを端末装置１に送信してもよい。端末装置１は、基地局装置３から受信したＴＲＵＥを示すＲＲＣ層のパラメータdmrsLess-UpPtsを含むＲＲＣシグナリングに基づいて、ＲＲＣ層のパラメータdmrsLess-UpPtsをＴＲＵＥにセットしてもよい。
【００７５】
スペシャルサブフレームの第２のスロットにおいて、ＰＵＳＣＨのマッピングはＳＣ−
ＦＤＭＡシンボルｌ＝１から開始される。ＲＲＣ層のパラメータdmrsLess-UpPtsがＴＲＵＥにセットされている場合、ＰＵＳＣＨのマッピングはＳＣ−ＦＤＭＡシンボルｌ＝ｓｙｍＰＵＳＣＨ＿ＵｐＰＴＳで終了する。ＲＲＣ層のパラメータdmrsLess-UpPtsがＴＲＵＥにセットされていない場合、ＰＵＳＣＨのマッピングはＳＣ−ＦＤＭＡシンボルｌ＝ｓｙｍＰＵＳＣＨ＿ＵｐＰＴＳ＋１で終了する。ＰＵＳＣＨはＤＭＲＳがマップされるＳＣ−ＦＤＭＡシンボルにはマップされない。例えば、ＲＲＣ層のパラメータdmrsLess-UpPtsがＴＲＵＥにセットされておらず、且つ、ｓｙｍＰＵＳＣＨ＿ＵｐＰＴＳが３である場合、スペシャルサブフレームの第２のスロットにおいてＰＵＳＣＨはＳＣ−ＦＤＭＡシンボルｌ＝｛１、２、４｝にマップされる。
【００７６】
ｓｙｍＰＵＳＣＨ＿ＵｐＰＴＳはＲＲＣ層のパラメータである。基地局装置３はＲＲＣ層のパラメータｓｙｍＰＵＳＣＨ＿ＵｐＰＴＳを含むＲＲＣシグナリングを端末装置１に送信してもよい。端末装置１は、ＲＲＣ層のパラメータｓｙｍＰＵＳＣＨ＿ＵｐＰＴＳを含むＲＲＣシグナリングに基づいて、ＲＲＣ層のパラメータｓｙｍＰＵＳＣＨ＿ＵｐＰＴＳをセットしてもよい。
【００７７】
以下、ＰＵＳＣＨの送信タイミングについて説明をする。
【００７８】
端末装置１は、サブフレームｎにおけるＤＣＩフォーマット（上りリンクグラント）を含むＰＤＣＣＨの検出に基づいて、当該ＰＤＣＣＨに対応するＰＵＳＣＨ送信をサブフレームｎ＋ｋに調整する。当該ｋの値は、少なくともＵＬ／ＤＬ設定に応じて与えられる。
【００７９】
図９、および、図１０は、本実施形態におけるｋの値の一例を示す図である。ＲＲＣ層のパラメータｓｙｍＰＵＳＣＨ＿ＵｐＰＴＳが設定されていない場合、端末装置１は、対応するＰＵＳＣＨ送信をスペシャルサブフレームに調整しない。ＲＲＣ層のパラメータｓｙｍＰＵＳＣＨ＿ＵｐＰＴＳが設定されていない場合、当該ｋの値は少なくとも図９に基づいて与えられてもよい。図９において、端末装置１は、無線フレームＮにおけるサブフレーム番号３の下りリンクサブフレームにおけるＤＣＩフォーマット（上りリンクグラント）を含むＰＤＣＣＨの検出に基づいて、当該ＤＣＩフォーマット（上りリンクグラント）を含むＰＤＣＣＨに対応するＰＵＳＣＨ送信を無線フレームＮにおけるサブフレーム番号７の上りリンクサブフレームに調整する。図９において、端末装置１は、無線フレームＮにおけるサブフレーム番号８の下りリンクサブフレームにおけるＤＣＩフォーマット（上りリンクグラント）を含むＰＤＣＣＨの検出に基づいて、当該ＤＣＩフォーマット（上りリンクグラント）を含むＰＤＣＣＨに対応するＰＵＳＣＨ送信を無線フレームＮ＋１におけるサブフレーム番号２の上りリンクサブフレームに調整する。
【００８０】
ＲＲＣ層のパラメータｓｙｍＰＵＳＣＨ＿ＵｐＰＴＳが設定されている場合、端末装置１は、対応するＰＵＳＣＨ送信をスペシャルサブフレームに調整することがある。ＲＲＣ層のパラメータｓｙｍＰＵＳＣＨ＿ＵｐＰＴＳが設定されている場合、当該ｋの値は少なくとも図１０に基づいて与えられてもよい。図１０において、端末装置１は、無線フレームＮにおけるサブフレーム番号１のスペシャルサブフレームにおけるＤＣＩフォーマット（上りリンクグラント）を含むＰＤＣＣＨの検出に基づいて、当該ＤＣＩフォーマット（上りリンクグラント）を含むＰＤＣＣＨに対応するＰＵＳＣＨ送信を無線フレームＮにおけるサブフレーム番号６のスペシャルサブフレームに調整する。図１０において、端末装置１は、無線フレームＮにおけるサブフレーム番号３の下りリンクサブフレームにおけるＤＣＩフォーマット（上りリンクグラント）を含むＰＤＣＣＨの検出に基づいて、当該ＤＣＩフォーマット（上りリンクグラント）を含むＰＤＣＣＨに対応するＰＵＳＣＨ送信を無線フレームＮにおけるサブフレーム番号７の上りリンクサブフレームに調整する。図１０において、端末装置１は、無線フレームＮにおけるサブフレーム番号６のスペシャルサブフレームにおけるＤＣＩフォーマット（上りリンクグラント）を含むＰＤＣＣＨの検出
に基づいて、当該ＤＣＩフォーマット（上りリンクグラント）を含むＰＤＣＣＨに対応するＰＵＳＣＨ送信を無線フレームＮ＋１におけるサブフレーム番号１のスペシャルサブフレームに調整する。図１０において、端末装置１は、無線フレームＮにおけるサブフレーム番号８の下りリンクサブフレームにおけるＤＣＩフォーマット（上りリンクグラント）を含むＰＤＣＣＨの検出に基づいて、当該ＤＣＩフォーマット（上りリンクグラント）を含むＰＤＣＣＨに対応するＰＵＳＣＨ送信を無線フレームＮ＋１におけるサブフレーム番号２の上りリンクサブフレームに調整する。
【００８１】
以下、ＰＵＳＣＨ送信のための送信電力のセッティングについて説明をする。
【００８２】
端末装置１は、ＰＵＣＣＨでの送信を同時には行わずにＰＵＳＣＨでの送信を行う場合に、あるセルｃに対する、あるサブフレームｉにおけるＰＵＳＣＨでの送信に対する送信電力値を、数式（３）に基づいてセットしてもよい。
【００８３】
【数３】
2019047411.tif 000005
【００８４】
ここで、ＰＰＵＳＣＨ，ｃ（ｉ）は、サブフレームｉにおけるＰＵＳＣＨでの送信に対する送信電力値を示す。ｍｉｎ｛Ｘ、Ｙ｝、ＸとＹのうちの最小値を選択するための関数である。ＰＣＭＡＸ，ｃは最大送信電力値（最大出力電力値とも称される）を示し、端末装置１によって設定される。
【００８５】
ＭＰＵＳＣＨ，ｃは、基地局装置３によって割り当てられたＰＵＳＣＨのリソース（例えば、帯域幅）を示し、リソースブロックの数によって表現される。Ｐ０_ＰＵＳＣＨ，
ｃ（ｊ）は、ＰＵＳＣＨでの送信に対する基本となる送信電力を示すパラメータである。例えば、Ｐ０_ＰＵＳＣＨ，ｃ（ｊ）は、上位層から指示されるセルスペシフィックパラ
メータＰ０_ＮＯＭＩＮＡＬ_ＰＵＳＣＨ，ｃ（ｊ）と、上位層から指示されるユーザ装置スペシフィックパラメータＰ０_ＵＥ_ＰＵＳＣＨ，ｃ（ｊ）との和によって構成される。ＰＬｃは、あるセルｃに対する下りリンクのパスロスの推定を示し、端末装置１において計算される。αｃは、あるセルｃに対するパスロスに乗算される係数を示し、上位層から指示される。ΔＴＦ，ｃ（ｉ）は、変調方式／符号化率／リソース利用効率等によるオフセット値を示す。端末装置１は、ＰＵＳＣＨで送信される上りリンクデータ（ＵＬ−ＳＣＨ）のビット数またはＣＱＩ／ＰＭＩのビット数、および、ＰＵＳＣＨ初期送信に対するリソースエレメントの数などに基づいてΔＴＦ，ｃ（ｉ）を計算する。
【００８６】
現在のＰＵＳＣＨでの送信に対する電力制御調整の状態（PUSCH power control adjustment state）は、ｆｃ（ｉ）によって与えられる。ここで、ｆｃ（ｉ）に対する累積が有効（enabled）であるか無効（disabled）であるかが、パラメータAccumulation-enabled
に基づいて上位層（ＲＲＣ層）によって与えられる。
【００８７】
端末装置１は、上位層から与えられたＲＲＣ層のパラメータAccumulation-enabledに基づいて累積が有効である場合、数式（４）に基づいて、ｆｃ（ｉ）の値をセットする。
【００８８】
【数４】
2019047411.tif 000006
【００８９】
端末装置１は、上位層から与えられたＲＲＣ層のパラメータAccumulation-enabledに基づいて累積が無効である場合（すなわち、累積が有効ではない場合）場合、数式（５）に
基づいて、ｆｃ（ｉ）の値をセットする。
【００９０】
【数５】
2019047411.tif 000007
【００９１】
ここで、δＰＵＳＣＨ，ｃは、補正値（a correction value）であり、ＴＰＣコマンドと呼称される。すなわち、上位層から与えられたパラメータAccumulation-enabledに基づいて累積が有効である場合、δＰＵＳＣＨ，ｃ（ｉ−ＫＰＵＳＣＨ）は、ｆｃ（ｉ−１）に累積される値を示している。
【００９２】
δＰＵＳＣＨ，ｃ（ｉ−ＫＰＵＳＣＨ）は、あるサブフレーム（ｉ−ＫＰＵＳＣＨ）で受信した、あるセルに対するＤＣＩフォーマット（上りリンクグラント）に含まれる‘ＰＵＳＣＨに対するＴＰＣコマンド’フィールドがセットされる値に基づいて指示される。
【００９３】
例えば、上位層から与えられたＲＲＣ層のパラメータAccumulation-enabledに基づいて累積が有効である場合、ＤＣＩフォーマット（上りリンクグラント）に含まれるＰＵＳＣＨに対するＴＰＣコマンドのフィールド（２ビットの情報フィールド）がセットされる値｛００、０１、１０、１１｝は、補正値｛−１、０、１、３｝にマップされる。
【００９４】
例えば、上位層から与えられたＲＲＣ層のパラメータAccumulation-enabledに基づいて累積が無効である場合、ＤＣＩフォーマット（上りリンクグラント）に含まれるＰＵＳＣＨに対するＴＰＣコマンドのフィールド（２ビットの情報フィールド）がセットされる値｛００、０１、１０、１１｝は、補正値｛−４、−１、１、４｝にマップされる。
【００９５】
図１１、および、図１２は、本実施形態におけるＫＰＵＳＣＨの値の一例を示す図である。ＵＬ／ＤＬ設定が２であり、端末装置１に対してＲＲＣ層のパラメータｓｙｍＰＵＳＣＨ＿ＵｐＰＴＳが設定されていない場合、ＫＰＵＳＣＨの値は少なくとも図１１に基づいて与えられてもよい。例えば、ＵＬ／ＤＬ設定２であり、サブフレームｉがサブフレーム２または７である場合、ＫＰＵＳＣＨの値は４である。
【００９６】
ＵＬ／ＤＬ設定が２であり、端末装置１に対してＲＲＣ層のパラメータｓｙｍＰＵＳＣＨ＿ＵｐＰＴＳが設定されている場合、ＫＰＵＳＣＨの値は少なくとも図１２に基づいて与えられてもよい。例えば、ＵＬ／ＤＬ設定２であり、サブフレームｉがサブフレーム１または６である場合、ＫＰＵＳＣＨの値は５である。例えば、ＵＬ／ＤＬ設定２であり、サブフレームｉがサブフレーム２または７である場合、ＫＰＵＳＣＨの値は４である。
【００９７】
上位層から与えられたＲＲＣ層のパラメータAccumulation-enabledに基づいて累積が有効である場合、端末装置１は、端末装置１に対してＲＲＣ層のパラメータｓｙｍＰＵＳＣＨ＿ＵｐＰＴＳが設定されているかどうかに少なくとも基づいてδＰＵＳＣＨ，ｃの値が０であるかどうかを決定してもよい。すなわち、上位層から与えられたＲＲＣ層のパラメータAccumulation-enabledに基づいて累積が有効である場合、端末装置１は、端末装置１に対してＲＲＣ層のパラメータｓｙｍＰＵＳＣＨ＿ＵｐＰＴＳが設定されているかどうかに少なくとも基づいてｆｃ（ｉ）の値をセットしてもよい。
【００９８】
上位層から与えられたＲＲＣ層のパラメータAccumulation-enabledに基づいて累積が有効であり、且つ、端末装置１に対してＲＲＣ層のパラメータｓｙｍＰＵＳＣＨ＿ＵｐＰＴＳが設定されておらず、且つ、サブフレームｉが上りリンクサブフレームではない場合、端末装置１はδＰＵＳＣＨ，ｃを０にセットしてもよい。サブフレームｉが上りリンクサブフレームではないことは、サブフレームｉが下りリンクサブフレームまたはスペシャル
サブフレームであることを意味する。
【００９９】
上位層から与えられたＲＲＣ層のパラメータAccumulation-enabledに基づいて累積が有効であり、且つ、端末装置１に対してＲＲＣ層のパラメータｓｙｍＰＵＳＣＨ＿ＵｐＰＴＳが設定されており、且つ、サブフレームｉが下りリンクサブフレームである場合、端末装置１はδＰＵＳＣＨ，ｃを０にセットしてもよい。
【０１００】
上位層から与えられたＲＲＣ層のパラメータAccumulation-enabledに基づいて累積が無効である場合、端末装置１は、端末装置１に対してＲＲＣ層のパラメータｓｙｍＰＵＳＣＨ＿ＵｐＰＴＳが設定されているかどうかに少なくとも基づいてｆｃ（ｉ）の値をセットしてもよい。
【０１０１】
上位層から与えられたＲＲＣ層のパラメータAccumulation-enabledに基づいて累積が無効であり、且つ、端末装置１に対してＲＲＣ層のパラメータｓｙｍＰＵＳＣＨ＿ＵｐＰＴＳが設定されておらず、且つ、サブフレームｉが上りリンクサブフレームではない場合、端末装置１は以下の数式（６）に基づいてｆｃ（ｉ）をセットしてもよい。
【０１０２】
上位層から与えられたＲＲＣ層のパラメータAccumulation-enabledに基づいて累積が無効であり、且つ、端末装置１に対してＲＲＣ層のパラメータｓｙｍＰＵＳＣＨ＿ＵｐＰＴＳが設定されておらず、且つ、サブフレームｉが上りリンクサブフレームであり、サブフレームｉに対するＤＣＩフォーマット（上りリンクグラント）を含むＰＤＣＣＨがデコードされる場合、端末装置１は上記の数式（５）に基づいてｆｃ（ｉ）をセットしてもよい。
【０１０３】
上位層から与えられたＲＲＣ層のパラメータAccumulation-enabledに基づいて累積が無効であり、且つ、端末装置１に対してＲＲＣ層のパラメータｓｙｍＰＵＳＣＨ＿ＵｐＰＴＳが設定されており、且つ、サブフレームｉが下りリンクサブフレームである場合、端末装置１は以下の数式（６）に基づいてｆｃ（ｉ）をセットしてもよい。
【０１０４】
上位層から与えられたＲＲＣ層のパラメータAccumulation-enabledに基づいて累積が無効であり、且つ、端末装置１に対してＲＲＣ層のパラメータｓｙｍＰＵＳＣＨ＿ＵｐＰＴＳが設定されており、且つ、サブフレームｉが下りリンクサブフレームではなく、サブフレームｉに対するＤＣＩフォーマット（上りリンクグラント）を含むＰＤＣＣＨがデコードされる場合、端末装置１は上記の数式（５）に基づいてｆｃ（ｉ）をセットしてもよい。サブフレームｉが下りリンクサブフレームではないことは、サブフレームｉが上りリンクサブフレームまたはスペシャルサブフレームであることを意味する。
【０１０５】
【数６】
2019047411.tif 000008
【０１０６】
以下、本実施形態における装置の構成について説明する。
【０１０７】
図１３は、本実施形態における端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および
、ベースバンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【０１０８】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【０１０９】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、スケジューリングリクエストの伝送の制御を行う。
【０１１０】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１１１】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【０１１２】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【０１１３】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【０１１４】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１１５】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１１６】
図１４は、本実施形態における基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１１７】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１１８】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジューリングリクエストに関する処理を行う。
【０１１９】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し
、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１２０】
無線送受信部３０の機能は、無線送受信部１０と同様であるため説明を省略する。
【０１２１】
端末装置１が備える符号１０から符号１６が付された部のそれぞれは、回路として構成されてもよい。基地局装置３が備える符号３０から符号３６が付された部のそれぞれは、回路として構成されてもよい。
【０１２２】
以下、本実施形態における、端末装置１および基地局装置３の種々の態様について説明する。
【０１２３】
（１）本実施形態の第１の態様は、端末装置であって、ＲＲＣ層のパラメータｓｙｍＰＵＳＣＨ＿ＵｐＰＴＳに基づいて、ＰＵＳＣＨをスペシャルサブフレームのＳＣ−ＦＤＭＡシンボルにマップし、前記ＰＵＳＣＨを送信する送信部と、前記端末装置に対して前記ＲＲＣ層のパラメータｓｙｍＰＵＳＣＨ＿ＵｐＰＴＳが設定されているかどうかに少なくとも基づいて前記パラメータｆｃ（ｉ）を決定し、前記パラメータｆｃ（ｉ）に少なくとも基づいてサブフレームｉにおけるＰＵＳＣＨ送信のための送信電力を計算する送信電力制御部と、を備える。
【０１２４】
これにより、端末装置および基地局装置は互いに、上りリンクの信号を用いて効率的に通信することができる。
【０１２５】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１２６】
尚、上述した実施形態における端末装置１、基地局装置３の一部、をコンピュータで実
現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１２７】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１２８】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１２９】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１３０】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１３１】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１３２】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、自動車、自転車、その他生活機器などの端末装置もしくは通信装置にも適用出来る。
【０１３３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１３４】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2019047411.tif 000009
【図２】
2019047411.tif 000010
【図３】
2019047411.tif 000011
【図４】
2019047411.tif 000012
【図５】
2019047411.tif 000013
【図６】
2019047411.tif 000014
【図７】
2019047411.tif 000015
【図８】
2019047411.tif 000016
【図９】
2019047411.tif 000017
【図１０】
2019047411.tif 000018
【図１１】
2019047411.tif 000019
【図１２】
2019047411.tif 000020
【図１３】
2019047411.tif 000021
【図１４】
2019047411.tif 000022